(57)【要約】【課題】携帯端末装置が家庭内ＬＡＮ（ホームネットワーク）の受信範囲外に位置する場合においても、特別な操作を必要とすることなく、録画予約登録を可能とする記録装置、記録方法及び予約方法を提供する。【解決手段】実施形態において、録画予約方法は、経路切り替え器と接続し、無線通信による第１の録画予約情報による録画予約の指示と前記経路切り替え器と接続し、メールによる第２の録画予約情報による録画予約の指示とを入力可能であって、無線通信による第１の録画予約情報による録画予約の登録が受け付けられないことを検出し、第２の録画予約情報による録画予約を入力する。【選択図】図１
2012205280.tif 000002
【特許請求の範囲】
【請求項１】
経路切り替え器と接続し、無線通信による第１の録画予約情報による録画予約の指示と前記経路切り替え器と接続し、メールによる第２の録画予約情報による録画予約の指示とを入力可能であって、
無線通信による第１の録画予約情報による録画予約の登録が受け付けられないことを検出し、第２の録画予約情報による録画予約を入力する録画予約方法。
【請求項２】
前記第１の録画予約情報による録画予約は、家庭内において入力装置からの無線通信による予約を含む請求項１記載の録画予約方法。
【請求項３】
前記第２の録画予約情報による録画予約は、外部ネットワークを経由して入力装置からのメールによる予約を含む請求項１記載の録画予約方法。
【請求項４】
経路切り替え器と接続し、入力装置からの無線通信による第１の録画予約情報に従う第１の録画予約、あるいは前記入力装置からのメールによる第２の録画予約情報に従う第２の録画予約のいずれかを受信して録画予約の登録を受け付け、録画する記録方法。
【請求項５】
前記第１の録画予約情報は、家庭内において前記入力装置からの無線通信により入力する請求項４記載の記録方法。
【請求項６】
前記第２の録画予約情報は、外部ネットワークを経由して前記入力装置からのメールとして入力する請求項４記載の記録方法。
【請求項７】
経路切り替え器と接続し、入力装置からの無線通信による第１の録画予約情報に従い、録画予約を受けつける第１の録画予約情報保持部と、
前記経路切り替え器と接続し、前記入力装置からのメールによる第２の録画予約情報に従い、録画予約を受け付ける第２の録画予約情報保持部と、
前記第１及び第２の録画予約情報保持部が受けつけた録画予約を保持する録画予約保持部と、
を具備する記録装置。
【請求項８】
前記第１の録画予約情報保持部が保持する第１の録画予約情報は、家庭内において前記入力装置からの無線通信により入力する請求項７記載の記録装置。
【請求項９】
前記第２の録画予約情報保持部が保持する第２の録画予約情報は、外部ネットワークを経由して前記入力装置からのメールとして入力する請求項７記載の記録装置。
【発明の詳細な説明】
【技術分野】
【０００１】
本発明の実施の形態は、記録装置、記録方法及び予約方法に関する。
【背景技術】
【０００２】
家庭内ＬＡＮ（Local Area Network，ホームネットワーク）の普及により、記録装置に付属するリモートコントローラ（リモコン端末）を用いる記録装置への直接の録画予約に加え、録画予約機能を有する携帯端末装置からの録画予約登録が可能である。
【先行技術文献】
【特許文献】
【０００３】
【特許文献１】特開２００７−２２１４６６号公報
【発明の概要】
【発明が解決しようとする課題】
【０００４】
携帯端末装置がホームネットワーク外に位置する場合、録画予約登録ができない場合が生じる。
【０００５】
本発明の目的は、携帯端末装置が家庭内ＬＡＮ（ホームネットワーク）の受信範囲外に位置する場合においても、特別な操作を必要とすることなく、録画予約登録を可能とする記録装置、記録方法及び予約方法を提供することである。
【課題を解決するための手段】
【０００６】
実施形態によれば、録画予約方法は、経路切り替え器と接続し、無線通信による第１の録画予約情報による録画予約の指示と前記経路切り替え器と接続し、メールによる第２の録画予約情報による録画予約の指示とを入力可能であって、無線通信による第１の録画予約情報による録画予約の登録が受け付けられないことを検出し、第２の録画予約情報による録画予約を入力する。
【図面の簡単な説明】
【０００７】
【図１】実施形態を適用する記録装置（録画再生装置）を含む家庭内ネットワークの一例を示す概略図。
【図２Ａ】実施形態を適用する家庭内ネットワークの一例を示す概略図。
【図２Ｂ】実施形態を適用する携帯端末装置の一例を示す概略図。
【図３】実施形態を適用する記録装置（録画再生装置）の一例を示す概略図。
【図４】実施形態を適用する記録装置と携帯端末装置との間の録画予約の一例を示す概略図。
【図５】実施形態を適用する携帯端末装置の表示例の一例を示す概略図。
【図６】実施形態の動作の一例を示す概略図。
【図７】実施形態を適用する記録装置と携帯端末装置との間の録画予約の一例を示す概略図。
【図８】実施形態を適用する携帯端末装置の表示例の一例を示す概略図。
【図９】実施形態を適用する携帯端末装置の表示例の一例を示す概略図。
【図１０】実施形態の動作の一例を示す概略図。
【図１１】実施形態を適用する記録装置と携帯端末装置との間の録画予約の一例を示す概略図。
【図１２】実施形態を適用する携帯端末装置の表示例の一例を示す概略図。
【図１３】実施形態の動作の一例を示す概略図。
【図１４】実施形態を適用する記録装置と携帯端末装置との間の録画予約の一例を示す概略図。
【図１５】実施形態の動作の一例を示す概略図。
【図１６】実施形態の動作の一例を示す概略図。
【図１７】実施形態の動作の一例を示す概略図。
【図１８】実施形態の動作の一例を示す概略図。
【図１９】実施形態を適用するシステムの一例を示す図。
【図２０】実施形態を適用する予約の一例を示す図。
【図２１】実施形態を適用する予約の一例を示す図。
【図２２】実施形態を適用する表示の一例を示す図。
【図２３Ａ】実施形態を適用するシステムの一例を示す図。
【図２３Ｂ】実施形態を適用するシステムの一例を示す図。
【発明を実施するための形態】
【０００８】
以下、実施の形態について図面を参照して説明する。
【０００９】
図１は、実施形態を適用する記録装置、記録方法及び予約方法の一例を示す。なお、以下に説明する各要素及びまたは構成もしくは「モジュール」と呼称する要素はハードウエアで実現するものであってもよいし、マイクロコンピュータ（処理装置やＣＰＵ）等を用いてソフトウエアで実現するものであってもよい。
【００１０】
記録装置（録画再生装置）１００は、家庭内ネットワーク（ホームネットワーク，ＬＡＮ（Local Area Network））を構成するルータ（ホームサーバ）１と、有線または無線により接続する。ルータ（ホームサーバ／経路切り替え器）１は、同様に、無線あるいは有線により通信が可能な携帯情報端末（入力装置）２００を通じて、記録装置１００に、例えば録画予約の登録あるいは変更の設定が可能である。なお、携帯情報端末２００は、例えばパーソナルコンピュータ（Personal Computer）やタブレットＰＣ、あるいはスマートフォンと称される多機能携帯端末装置、もしくはネットワーク（インターネット）およびホームネットワーク（プライベートワーク）に接続可能なテレビ受信装置等を含む。
【００１１】
ルータ（ホームサーバ）１は、無線接続の場合、例えばＷｉＦｉ（ＩＥＥＥ８０２．１１ａ／同８０２．１１ｂを利用する無線機器間の相互接続性についてＷｉＦｉアライアンス（Alliance））における認定を得た機器相互における無線接続が可能であり、上述のルータ（あるいはホームサーバ）１が無線通信機能を有し、ＷｉＦｉアライアンスにおける認定を受けている場合、ルータ（ホームサーバ）１との間の無線通信が可能な携帯情報端末２００を通じて、記録装置１００に、例えば録画予約の登録あるいは変更の設定が可能である。
【００１２】
記録装置１００は、図２Ａに一例を示すが、利用者が設定した録画予約に基いて放送番組を受信し、圧縮符号化してＨＤＤ（Hard Disk Drive）やＤＶＤ（Digital Versatile Disk）等の記録媒体に記録するものであり、ＡＶ入力部１０１、ＴＶチューナ１０２、エンコーダ部１０３、ディスクドライブ部１０４、ＭＰＵ１０５、デコーダ部１０６、ＡＶ出力部１０７、表示部１０８、タイマーマイコン部１０９、ユーザ操作入力部１１０、メモリ１１１および通信制御部１１２を有している。
【００１３】
ＡＶ入力部１０１は、例えばビデオカメラや他の録画再生装置などから映像データを入力するものであり、一方、ＴＶチューナ１０２は、複数のチャンネルの中から所望のチャンネルを選択して放送番組を受信するものである。そして、エンコーダ部１０３は、このＡＶ入力部１０１により入力された映像データやＴＶチューナ１０２により受信された放送番組データを例えばＭＰＥＧ−２フォーマットで圧縮符号化するものである。なお、ここでは、この入力部１０１により入力された映像データとＴＶチューナ１０２により受信された放送番組データとの双方を便宜上放送番組データと呼ぶことにする。
【００１４】
エンコーダ部１０３で圧縮符号化された放送番組データは、ディスクドライブ部１０４でＤＶＤ−ＲＡＭやＤＶＤ−Ｒ、あるいはＨＤＤディスクなどの記録媒体であるディスクＡに格納される。ディスクドライブ部１０４は、一時記憶部１０４１とディスクドライブ１０４２とを備えており、一時記憶部１０４１をバッファとして利用しながら、ディスクドライブ１０４２が、取り外し自在に装着されるディスクＡに対するアクセスを実行する。
【００１５】
ＭＰＵ１０５は、記録装置１００全体の制御を司り、前述した放送番組の受信、圧縮符号化および記憶媒体への格納、つまり録画処理のほか、後述する再生処理や通信処理等、すべての処理を統合的に制御する。
【００１６】
デコーダ部１０６は、ディスクドライブ部１０４によって読み出されたディスクＡ上の放送番組データを復号するものであり、デコーダ部１０６により復号された放送番組データは、ＡＶ出力部１０７から例えば他の録画再生装置に出力されたり、ＭＰＵ１０５を介して表示部１０８に渡され、外部接続されるＴＶモニタなどに表示される。
【００１７】
タイマーマイコン部１０９は、独自の電源ユニットをもつ時計モジュールであるとともに、ユーザ操作入力部１１０から入力されるユーザの操作から命令コードを生成してＭＰＵ１０５に供給するコントローラとして動作する。また、このタイマーマイコン部１０９は、利用者が設定した録画予約に関する情報（録画予約情報）を格納するレジスタを有している。
【００１８】
ユーザ操作入力部１１０は、例えば記録装置１００の筐体側面に設けられるスイッチ群などであり、いずれかのスイッチが操作されたときに、その旨をタイマーマイコン部１０９に通知する。
【００１９】
メモリ１１１は、記録装置１００の主記憶となるメモリデバイスであり、ＭＰＵ１０５によって実行されるプログラムやこのプログラムで用いられるデータを格納する。そして、通信制御部１１２は、例えばインターネットＢ経由で、携帯情報端末２００とデータを送受信するための通信制御を司るものである。
【００２０】
図２Ｂは、図１および図２Ｂに示したネットワークの内外で利用可能な携帯端末装置の一例を示す。
【００２１】
携帯情報端末２００において、接続中の基地局から送信された無線信号は、アンテナ２０１で受信されたのちアンテナ共用器（ＤＵＰ）２０２を介して受信回路（ＲＸ）２０３に入力される。
【００２２】
受信回路２０３では、受信された無線信号と周波数シンセサイザ（ＳＹＮ）２０４から出力された局部発振信号とがミキシングされ、中間周波信号に周波数変換（ダウンコンバート）される。なお、受信回路２０３からは、中間周波信号を直交復調した受信ベースバンド信号が出力される。また、上記周波数シンセサイザ２０４から発生される局部発振信号の周波数は、以下に説明する制御部２５０からの制御信号ＳＹＣによって指示される。
【００２３】
受信ベースバンド信号は、ＣＤＭＡ信号処理部２０６に入力される。ＣＤＭＡ信号処理部２０６は、ＲＡＫＥ受信機を備える。ＲＡＫＥ受信機では、受信ベースバンド信号に含まれる複数のパスが、それぞれ拡散符号により、逆拡散処理される。逆拡散処理された各パスの信号は、位相を合わされたのち合成される。この結果、所定の伝送フォーマットの受信パケットデータが得られる。
【００２４】
受信パケットデータは、圧縮伸長処理部（以後コンパンダと称する）２０７に入力される。コンパンダ２０７は、図示しない多重分離部を含み、ＣＤＭＡ信号処理部２０６から出力された受信パケットデータが、多重分離部によりメディア（情報の種類）ごとに分離される。また、コンパンダ２０７により、分離されたメディアデータごとに復号される。例えば、受信パケットデータにオーディオデータが含まれている場合、オーディオデータは、スピーチコーデックにより復号される。受信パケットデータにビデオデータが含まれていれば、ビデオデータは、ビデオコーデックにより復号される。
【００２５】
コンパンダ２０７を介して復号されたデジタルオーディオ信号は、ＰＣＭ符号処理部（以後ＰＣＭコーデックと称する）２０８へ、デジタルビデオ信号は、制御部２５０へそれぞれ入力される。なお、受信パケットデータにメール等のテキストデータが含まれている場合には、テキストデータは、制御部２５０を通じて記憶部２１３に保存される。
【００２６】
コンパンダ２０７から出力されたデジタルオーディオ信号は、ＰＣＭコーデック２０８で、ＰＣＭ復号され、アナログオーディオ信号として受話増幅器２０９に出力される。受話増幅器２０９に入力されたオーディオ信号は、所定レベルまで増幅されたのちスピーカ２１２に出力される。従って、スピーカ２１２からは、音声あるいは再生された音楽が出力される。
【００２７】
制御部２５０では、コンパンダ２０７から出力されたデジタルビデオ信号については、図示しないビデオＲＡＭを用いて、表示部２２０（タッチパネル２３０）のＬＣＤ（Liquid Crystal Devise）による表示に適した信号形式に変換し、所定のタイミングでＬＣＤに転送する。これにより、ＬＣＤには、図示しないＬＣＤ駆動回路を介して入力される信号に従って、画像が表示される。
【００２８】
メール等のテキストデータは、入力部２２３（タッチパネル２３０）から入力される（ユーザの）指示に基づいて所定のタイミングで記憶部２１３から呼び出され、図示しないコード変換部により、表示すべき文字情報や記号等に対応した符号列に変換され、ＬＣＤが表示すべき情報として、ＬＣＤに供給される。これにより、ＬＣＤには、図示しないＬＣＤ駆動回路を介して入力される信号に従って、文字あるいは記号が表示される。
【００２９】
なお、入力部２２３において例えば留守番モードが設定されている場合には、制御部２５０の制御により、コンパンダ２０７において復号処理される前の段階のオーディオデータおよびビデオデータが記憶部２１３内の、例えば留守記録エリアに記憶される。
【００３０】
一方、マイクロホン２２４に入力された利用者の音声は、送話増幅器２１０により適正レベルまで増幅されたのち、ＰＣＭコーデック２０８にてＰＣＭ符号に符号化され、デジタルオーディオ信号として、コンパンダ２０７に入力される。また、図示しないカメラにより撮像されたビデオ信号は、制御部２５０によりデジタル化され、コンパンダ２０７に入力される。なお、制御部２５０において作成されたメール等のテキストデータも制御部２５０からコンパンダ２０７に入力される。
【００３１】
コンパンダ２０７では、ＰＣＭコーデック２０８から出力されたデジタルオーディオ信号から入力音声のエネルギ量が検出され、この検出結果に基づいて送信データレートが決定される。決定された送信データレートに基づいて、デジタルオーディオ信号が送信データレートに応じたフォーマットの信号に符号化される。このようにして、送信用オーディオデータが生成される。また、コンパンダ２０７では、制御部２５０から出力されたデジタルビデオ信号が符号化され、ビデオデータが生成される。
【００３２】
音声データおよび画像データは、コンパンダ２０７の図示しない多重分離部により所定の伝送フォーマットに従いパケット化される。パケット化された送信パケットデータは、ＣＤＭＡ信号処理部２０６へ出力される。メール等のテキストデータも、同様にパケット化され、送信パケットデータに多重化される。
【００３３】
ＣＤＭＡ信号処理部２０６では、コンパンダ２０７から出力された送信パケットデータが送信チャネルに割り当てられた拡散符号を用いてスペクトラム拡散処理され、その出力信号が送信回路（ＴＸ）２０５へ出力される。
【００３４】
送信回路２０５では、ＣＤＭＡ信号処理部２０６においてスペクトラム拡散された信号が、例えばＱＰＳＫ方式のデジタル変調方式により変調される。変調された送信信号は、周波数シンセサイザ２０４から発生される局部発振信号と合成され、所定周波数の空間波、すなわち無線信号に周波数変換される。
【００３５】
送信回路２０５から空間波として出力される無線信号は、送信に先だって制御部２５０により指示される送信電力レベルとなるように（送信回路２０５において）、高周波増幅される。
【００３６】
増幅された無線信号すなわち高周波信号は、アンテナ共用器２０２を経由してアンテナ２０１に供給され、アンテナ２０１から基地局へ向けて送信される。
【００３７】
なお、上述した一連の動作あるいはデータの記憶および保持に利用される電力は、ターミナル２１６を経由して、図示しない商用電源または外部バッテリ装置から供給され、バッテリ２１４に保持されている。また、動作時あるいは必要に応じて、バッテリ２１４に保持されている電力が、電源回路２１５により所定の動作電源電圧Ｖccとして、携帯端末間装置２００の各部に供給される。
【００３８】
制御部２５０はまた、上述した一連の動作あるいはデータの記憶および保持に利用される主制御部（ＣＰＵ）２５０ａを接続されたＩ／Ｏポート（入出力部）２５０ｂを有し、図４により以下に説明するが、図２に示した外部接続部２２２のコネクタ（インタフェース）２２１と接続されることにより、サービスシステム（管理者側ホスト装置）との間の信号の受け渡しが可能である。なお、Ｉ／Ｏポート２５０ｂと接続されたコネクタ２２１には、ユーザが所有するパーソナルコンピュータや任意の装置に設けられているモデム等と接続された場合に、空間波による通信が可能に、詳述しないプロトコルに従った入出力向けの信号の割り当てが可能である。
【００３９】
主制御部（ＣＰＵ）２５０ａには、外部インタフェース２５０ｃが接続されている。
【００４０】
外部インタフェース２５０ｃには、既に規格が公開されているカード状の記憶媒体、例えばminiＳＤカードＭ（商標）との間でデータの受け渡しが可能な、カードスロット２３１が接続されている。カードスロット２３１は、miniＳＤカードＭを介して、例えば携帯情報端末２００がカメラ付きである場合にそのカメラ機構により撮像された画像データ、もしくは通信により外部から入手（ダウンロード）された画像データ等を携帯情報端末２００とは別の再生装置やパーソナルコンピュータ等に移動させるために利用される。また、miniＳＤカードＭにより、音楽データ等がデジタル化された符号情報や予め用意された画像情報を携帯情報端末２００に移動させて、携帯情報端末２００において音楽や画像を再生することができる。
【００４１】
主制御部（ＣＰＵ）２５０ａにはまた、ＷｉＦｉアライアンスにおける認定を得た機器相互における無線接続を可能とするＷｉＦｉ通信管理部２１０および外部アンテナ２１１が接続する。
【００４２】
図３は、記録装置１００の録画予約管理に関する機能ブロックを示す図である。
【００４３】
記録装置１００では、携帯情報端末２００を使ってインターネットＢ経由で録画予約一覧を閲覧可能とするために、ＭＰＵ１０５が、Ｗｅｂサーバプログラム１０と録画予約アプリケーションプログラム１１とを実行制御する。
【００４４】
Ｗｅｂサーバプログラム１０は、携帯情報端末２００上で動作するＷｅｂブラウザプログラム（図２２に一例を示すＰＩＭ（Personal Information Manager）データ標準に準拠したスケジュール管理アプリケーション（広く公開されている「ｉカレンダ（i Calendar Store server）」へ接続可能なアプリケーション））２０との間で通信を行うプログラムであり、Ｗｅｂブラウザプログラム２０からの要求を通信制御部１１２を介して受け付けるとともに、その要求に対応する情報をＨＴＭＬ情報として通信制御部１１２を介して返送する。この要求は、Ｗｅｂブラウザプログラム２０が所定のＵＲＬを指定して記録装置１００にアクセスすることによって受け付けられる。
【００４５】
一方、録画予約アプリケーションプログラム１１は、Ｗｅｂサーバプログラム１０がＷｅｂブラウザプログラム２０に返送するＨＴＭＬ情報を作成するプログラムであり、具体的には、タイマーマイコン部１０９に格納された録画予約情報１２を読み出し、その読み出した録画予約情報を一覧表示するためのＨＴＭＬ情報を作成する。タイマーマイコン部１０９に格納された録画予約情報１２には、開始終了日時とチャンネルといった放送番組を特定するための項目のほか、画質や音質といった録画条件を設定するための項目も含まれている。
【００４６】
すなわち、記録装置１００によれば、図４に示すように、例えば外出先や移動中であっても、携帯情報端末２００に標準的に装備されるＷｅｂブラウザプログラム２０を使って、録画予約一覧取得要求を送り（図４の（１））、かつ、この要求に応答して返送される録画予約一覧を閲覧すること（図４の（２））ができるようになる。図５は、録画予約アプリケーションプログラム１１が作成してＷｅｂサーバプログラム１０が返送し、Ｗｅｂブラウザプログラム２０が携帯情報端末２００上で表示する録画予約一覧を例示する図であり、利用者は、この画面を参照することにより、現在の録画予約状況を随時に確認することが可能となる。なお、タッチパネル２３０が表示する表示５０５は、例えばネットワークとの接続を切断するための切断アイコン（ボタン）５０１、一つ前の操作（画面表示）に戻すための戻るアイコン（ボタン）５０２、電源のオン／オフを入力するオン／オフボタン（アイコン）５０３、及びホームネットワーク（ＷｉＦｉすなわち無線ＬＡＮ）との間の通信の有無を報知する通信良好（アンテナ）マーク（アイコン）５０４、等の表示を含む。
【００４７】
図６は、記録装置１００における録画予約管理に関する動作手順を示すフローチャートである。
【００４８】
Ｗｅｂサーバプログラム１０は、まず、Ｗｅｂブラウザプログラム２０からの録画予約一覧取得要求を受け付ける（Ａ１）。そうすると、録画予約アプリケーションプログラム１１が、タイマーマイコン部１０９に格納された録画予約情報１２を読み出し（Ａ２）、録画予約一覧表示用のＨＴＭＬ情報を作成する。そして、Ｗｅｂサーバプログラム１０は、録画予約アプリケーションプログラム１１が作成したＨＴＭＬ情報、つまり録画予約一覧をＷｅｂブラウザプログラム２０に返送する（Ａ３）。
【００４９】
このように、記録装置１００は、インターネットＢ経由での録画予約一覧の閲覧を受け付け可能とする。
【００５０】
記録装置１００はまた、上述した録画予約一覧の閲覧に加えて、さらに録画予約の新規登録および変更を受け付け可能とする。
【００５１】
図７に示すように、携帯情報端末２００に標準的に装備されるＷｅｂブラウザプログラム２０を使って、例えば外出先や移動中であっても、録画予約情報を送信すること（図７の（３））ができるようにする。
【００５２】
携帯情報端末２００のＷｅｂブラウザプログラム２０は、図５に示した画面を表示中であるものと想定する。ここで、画面右上の登録ボタンが選択されると、録画予約の新規登録を行う旨の要求がＷｅｂブラウザプログラム２０からＷｅｂサーバプログラム１０に送信される。一方、この要求をＷｅｂサーバプログラム１０が受け取ると、録画予約情報として必要な項目の入力画面を表示するためのＨＴＭＬ情報を録画予約アプリケーションプログラム１１が作成する。このＨＴＭＬ情報は、Ｗｅｂサーバプログラム１０によってＷｅｂブラウザプログラム２０に返送されて、携帯情報端末２００上に、図８に示すような画面が表示される。
【００５３】
図８には、録画予約に必要な項目が入力された後の状態が示されており、この入力を終えると、利用者は、画面右上のＯＫボタンを選択する。そうすると、この画面上で入力された録画予約情報がＷｅｂブラウザプログラム２０からＷｅｂサーバプログラム１０に送信され、録画予約アプリケーションプログラム１１によってタイマーマイコン部１０９に格納される。また、録画予約アプリケーションプログラム１１は、このタイマーマイコン部１０９への格納が終了した際、録画予約登録完了を通知するために、当該録画予約を含んだ録画予約一覧を表示するためのＨＴＭＬ情報を作成し、Ｗｅｂサーバプログラム１０を介してＷｅｂブラウザプログラム２０に返送する。図９は、この時携帯情報端末２００に表示される画面を例示する図である。
【００５４】
図５に示した画面を表示中、例えば予約番号１番の録画予約を変更しようとした場合には、利用者は、この行を指定した状態で画面右上の変更ボタンを選択する。そうすると、その予約番号が付加された変更要求がＷｅｂブラウザプログラム２０からＷｅｂサーバプログラム１０に送信される。そして、録画予約アプリケーションプログラム１１は、その番号に対応する録画予約情報１２をタイマーマイコン部１０９から読み出し、その録画予約情報が組み込まれた（図８のレイアウトの）画面を表示するための、ＨＴＭＬ情報作成する。このＨＴＭＬ情報は、Ｗｅｂサーバプログラム１０を介してＷｅｂブラウザプログラム２０に返送され、携帯情報端末２００上で表示される。
【００５５】
利用者は、この画面上で所望の変更を施した後、画面右上のＯＫボタンを選択する。そうすると、この画面上で変更された録画予約情報がＷｅｂブラウザプログラム２０からＷｅｂサーバプログラム１０に送信され、録画予約アプリケーションプログラム１１によって変更前の録画予約情報と置き換えるべくタイマーマイコン部１０９に格納される。また、録画予約アプリケーションプログラム１１は、このタイマーマイコン部１０９への格納が終了した際、録画予約変更完了を通知するために、当該録画予約を含んだ録画予約一覧を表示するためのＨＴＭＬ情報を作成し、Ｗｅｂサーバプログラム１０を介してＷｅｂブラウザプログラム２０に返送する。
【００５６】
図１０は、記録装置１００における録画予約管理に関する動作手順を示すフローチャートである。
【００５７】
Ｗｅｂサーバプログラム１０は、まず、Ｗｅｂブラウザプログラム２０からの録画予約登録・変更要求を受け付ける（Ｂ１）。これが登録要求であった場合（Ｂ２−ＹＥＳ）、録画予約アプリケーションプログラム１１は、録画予約登録用の画面を作成してＷｅｂサーバプログラム１０経由でＷｅｂブラウザプログラム２０に返送する（Ｂ３）。
【００５８】
その後、Ｗｅｂブラウザプログラム２０からの新規の録画予約情報をＷｅｂサーバプログラム１０が受け付けると（Ｂ４）、録画予約アプリケーションプログラム１１は、この受け付けた録画予約情報をタイマーマイコン部１０９に格納し（Ｂ５）、その録画予約登録完了をＷｅｂサーバプログラム１０経由でＷｅｂブラウザプログラム２０に通知する（Ｂ６）。
【００５９】
一方、変更要求であった場合（Ｂ２−ＮＯ）、録画予約アプリケーションプログラム１１は、要求された録画予約情報をタイマーマイコン部１０９から読み出し（Ｂ７）、この読み出した録画予約情報を組み入れた録画予約変更用の画面を作成してＷｅｂサーバプログラム１０経由でＷｅｂブラウザプログラム２０に返送する（Ｂ８）。
【００６０】
その後、Ｗｅｂブラウザプログラム２０からの変更後の録画予約情報をＷｅｂサーバプログラム１０が受け付けると（Ｂ９）、録画予約アプリケーションプログラム１１は、この受け付けた録画予約情報を変更前の録画予約情報と置き換えるべくタイマーマイコン部１０９に格納し（Ｂ１０）、その録画予約変更完了をＷｅｂサーバプログラム１０経由でＷｅｂブラウザプログラム２０に通知する（Ｂ１１）。
【００６１】
このように、記録装置１００は、インターネットＢ経由での録画予約の新規登録・変更を受け付け可能とする。
【００６２】
記録装置１００はまた、前述した録画予約一覧の閲覧、録画予約の新規登録および変更に加えて、さらに録画予約の削除を受け付け可能とする。
【００６３】
図１１に示すように、携帯情報端末２００に標準的に装備されるＷｅｂブラウザプログラム２０を使って、例えば外出先や移動中であっても、録画予約削除要求を送信すること（図１０の（４））ができるようにする。
【００６４】
携帯情報端末２００のＷｅｂブラウザプログラム２０は、図８に示した画面を表示中であるものと想定する。利用者が、例えば予約番号２番の録画予約を削除しようと考えている場合、利用者は、この行を指定した状態で画面右上の削除ボタンを選択する。そうすると、その予約番号が付加された削除要求がＷｅｂブラウザプログラム２０からＷｅｂサーバプログラム１０に送信される。そして、録画予約アプリケーションプログラム１１は、その番号に対応する録画予約情報１２をタイマーマイコン部１０９から削除する。また、録画予約アプリケーションプログラム１１は、このタイマーマイコン部１０９からの削除が終了した際、録画予約削除完了を通知するために、当該録画予約が除かれた録画予約一覧を表示するためのＨＴＭＬ情報を作成し、Ｗｅｂサーバプログラム１０を介してＷｅｂブラウザプログラム２０に返送する。図１２は、この時携帯情報端末２００に表示される画面を例示する図である。
【００６５】
図１３は、記録装置１００の録画予約管理に関する動作手順を示すフローチャートである。
【００６６】
Ｗｅｂサーバプログラム１０は、まず、Ｗｅｂブラウザプログラム２０からの録画予約削除要求を受け付ける（Ｃ１）。そうすると、録画予約アプリケーションプログラム１１が、受け付けた録画予約番号に対応する録画予約情報をタイマーマイコン部１０９から削除し（Ｃ２）、その録画予約削除完了をＷｅｂサーバプログラム１０経由でＷｅｂブラウザプログラム２０に通知する（Ｃ３）。
【００６７】
このように、記録装置１００は、インターネットＢ経由での録画予約の削除を受け付け可能とする。
【００６８】
なお、上述した各実施形態では、インターネットＢ経由で録画予約の閲覧、新規登録・変更、削除を受け付け可能とする例を説明したが、今日、携帯情報端末２００に標準装備されるＷｅｂブラウザプログラム、あるいは図２２に一例を示すＰＩＭデータ標準に準拠したスケジュール管理アプリケーション（広く公開されている「ｉカレンダ（i Calendar Store server）」へ接続可能なアプリケーション）２０によって、上述したさまざまな操作を行える点が特徴なのであって、必ずしもインターネットＢ経由に限定されるものではない。
【００６９】
図１４は、携帯情報端末２００が、図１に示したホームネットワークにおけるＷｉＦｉエリア外、すなわちホームネットワーク（プライベートネットワーク）外へ移動した場合の録画予約処理（録画予約登録）の方法の一例を示す。
【００７０】
既に説明した通り、携帯情報端末２００は、ＷｉＦｉによるホームネットワーク内でのルータ１へのアクセスに加え、インターネット網を用いるメール形式による録画予約登録が可能である。このため、ＷｉＦｉエリア（ホームネットワーク／プライベートネットワーク）外にある（移動した）ことを検出した場合、記録装置１００に対する録画予約登録は、インターネット経由となる。
【００７１】
すなわち、携帯情報端末２００は、自身がＷｉＦｉエリア内にあることを検出できない（すなわちルータ１との間の無線通信ができない）場合、ＷｉＦｉエリア外に位置すると判定し、ユーザ（操作者）による記録装置１００への録画予約登録がある場合、サーバ３００に対し、メールＭにて、録画予約情報（開始日時、終了日時、録画ソース（チャンネル）、記録レート）等、を送信する。
【００７２】
記録装置１００は、録画が可能である場合、すなわち録画予約登録を受けつけた場合、メールＭにて、サーバ３００が保持する録画予約情報を取得し、タイマーマイコン部１０９に登録する。なお、必要に応じ、サーバ３００を経由して、記録装置１００に録画予約登録の完了（もしくは失敗（あるいは重複））を報知（メールにて返信）できる。
【００７３】
より詳細には、ＭＰＵ１０５は、メモリ１１１に記憶されている制御プログラムに従い、ディスクＤへの記録制御、コピー制御、削除制御、ユーザ操作入力部１１０を介してタイマーマイコン部１０９へ入力された記録再生装置の動作の変更、表示部１５１を用いたユーザへの表示等を制御する。
【００７４】
タイマーマイコン部１０９は、タイマー回路（時計ユニット）１１３をモニタしながら、ユーザにより設定された録画予約情報を管理し、録画予約開始時刻に達した時点でＭＰＵ１０５に記録開始、および録画予約終了時刻に達した時点でＭＰＵ１０５に記録終了を指示する。
【００７５】
ユーザ操作入力部１１０は、ユーザからの操作要求、例えば、記録再生装置の動作の変更や録画予約情報の受け付け等が可能で、図示しないがリモコン（リモートコントロール端末）からの制御信号を受け入れるデータ受信部、装置１本体の図示しない操作パネルによるユーザからの直接入力指示に対応して制御信号をタイマーマイコン部１０９へ出力可能な図示しない制御信号入力部を含む。
【００７６】
すなわち、図１４を用いて上述したように、携帯情報端末２００等の既存の通信可能機器（携帯端末）により、ユーザから録画予約情報を含むＥ−メール（以下単にメールと呼称する）Ｍが、メールサーバ（ネットワーク網向け商用通信制御装置）３００に送信される。記録装置１００は、メールサーバ３００から受信したメール本文中に、特定の符号列が含まれるか否か認識して、特定の文字列が含まれている場合は、その文字列を予約情報と判断して記録装置１００に録画予約を設定する。
【００７７】
図１５は、図１４を用いて説明したメールによる録画予約の取り込みおよび録画の予約登録手順の一例を示すフローチャートである。
【００７８】
始めに、記録装置１００の通信制御部１１２を介して、予め指定されているメールサーバの所定のメールボックスに、メールＭが着信しているか否かがチェックされる（Ｄ１）。
【００７９】
メールＭが着信していることがチェックされると（Ｄ１−Ｙｅｓ）、着信しているメールの総数としてメモリ１１１内に「メール数＝ｎ」がセットされる（Ｄ２）。
【００８０】
次に、「ｎ」番めのメールの取り込むための取り込み（受信）要求が送信され（Ｄ３）、メールボックスから「ｎ」番めのメールが受信される（Ｄ４）。
【００８１】
以下、受信されたメールが録画予約メールか否かが判断され（Ｄ５）、メールが録画予約メールである場合には（Ｄ５−Ｙｅｓ）、例えば既に録画予約が上限に達している等の録画予約受け付け付加状態か否かが判断され（Ｄ６）、新たな録画予約が不可能である場合には（Ｄ６−Ｙｅｓ）、メール予約ができなかったことを伝えるメールが返信される（Ｄ７）。
【００８２】
Ｄ６において、録画予約が可能である場合には（Ｄ６−Ｎｏ）、そのメール内容に従って、メモリ１１１の録画予約情報テーブルに、録画予約が追加登録される（Ｄ８）。
【００８３】
続いて、「ｎ」番めのメールの削除がメールボックスに返信され、さらに『ｎ番めのメールに対する録画予約の終了（受け付け完了）』を示すメールがメールボックスに送信される」（Ｄ９）。同時にまたは所定のタイミングで、メモリ１１１内のメール数が「ｎ＝ｎ−１」に書き換えられる（Ｄ１０）。
【００８４】
以下、メモリ１１１内のｎ−１＞０が判断され（Ｄ１１）、ｎ−１＞０である場合には（Ｄ１１−Ｙｅｓ）、ステップＤ３〜Ｄ９が繰り返され、残りのメールの取り込み、予約メールか否かの判断、予約メールである場合の予約登録が「ｎ−１＝０」になるまで繰り返される。
【００８５】
図１６は、受信したメールが録画予約メールであるか否かの識別の例を説明するフローチャートである。
【００８６】
受信したメールに、例えば「ｏｐｅｎ」の文字列から始まる１行の文字列がある場合、予約メールと判断する（Ｅ）。
【００８７】
例えば「ｏｐｅｎ，ｐａｓｓ（ｎａｍｅ），１９９９１２３１，２２００，２３５９，８，Ｓ，Ａ」と記述されたメールＭが着信した場合、「ｏｐｅｎ」は録画予約メールを示し、「ｐａｓｓ」はパスワードまたは予め登録されているユーザ名、「１９９９１２３１」は１９９９年１２月３１日、「２２００，２３５９」は２２時００分開始で２３時５９分終了、「８，Ｓ，Ａ」は録画ソースとしてチャンネル番号８番、記録レートとして画質ＳＰ（標準記録モード）、音質ＤＤ１（ドルビーデジタル１）と、解釈される。
【００８８】
なお、８桁の数字により定義される情報として、特別な形式の（例えばＧコードと呼ばれる）録画予約コードである可能性もあるので、上述した「ｐａｓｓ（ｎａｍｅ）」に続く数字例が録画予約コードか否かが判断される（Ｅ２）。
【００８９】
数字列が録画予約コードであれば、少なくとも先頭から４桁は西暦に対応する数字以外の組み合わせであるから、録画予約コードであることが判断できる（Ｅ２−Ｙｅｓ）。この場合、録画開始日時と終了時間およびチャンネル番号（録画予約コードに関しては、録画ソースは選択する必要がない）が得られるので、続いて、記録レートが読み取られ（Ｅ３）、メモリ１１１の録画予約情報テーブルに追加登録される（Ｅ４）。
【００９０】
数字列が録画予約コードではない場合（Ｅ２−Ｎｏ）、メールＭから録画予約に必要な録画開始日時、録画終了時間、録画ソースおよび記録レートが読み取られ、メモリ１１１の録画予約情報テーブルに追加登録される（Ｅ４）。
【００９１】
図１７に、図１に示した携帯情報端末２００が、記録装置１００及びルータ１からなるホームネットワーク内とホームネットワーク外とを移動する場合における録画予約登録のルーティンを示す。
【００９２】
ルータ（ＷｉＦｉ通信制御装置）１は、携帯情報端末２００との間で、無線通信（ＷｉＦｉ通信）が確保されている場合、携帯情報端末２００による録画予約登録を受け付け、記録装置１００に対し、その録画予約を登録する＜１＞。
【００９３】
携帯情報端末２００がホームネットワーク内に位置し、録画予約登録が成功した場合、記録装置すなわち録画再生装置１００は、携帯情報端末２００に、録画予約成功を、ＷｉＦｉ通信により報知する＜２＞。
【００９４】
一方、記録装置すなわち録画再生装置１００は、ルータ１に対し、携帯情報端末２００を認識できない場合、あるいは携帯情報端末２００との間の通信ができない場合、もしくは携帯情報端末２００からの応答を受信できない場合、等において、携帯情報端末２００への録画予約失敗を、報知する＜３＞。すなわち、携帯端末装置２００側からは、ルータ１との間のＷｉＦｉ通信が確保できない場合、携帯端末装置２００がホームネットワーク内に位置しないことを認識できる。
【００９５】
携帯端末装置２００は、記録装置１００から録画予約についての応答がない場合、自身がホームネットワークのエリア外に位置することを、例えば主制御部２５０において判定（認識）し、インターネット及びメールサーバ３００を経由する、録画予約メールによる録画予約の登録を試みる。すなわち、メールサーバ３００に、記録装置１００が読み取り可能な録画予約メールを送信する＜４＞。
【００９６】
以下、記録装置１００は、所定タイミングでサーバ３００にアクセスし、録画予約メールを取得し、録画予約を登録する＜５＞。
【００９７】
以上のように、携帯端末装置２００は、自身がホームネットワークのエリア外に位置することを認識した場合、ＷｉＦｉ通信によるホームネットワーク内でのルータ１への通信に代えて、メールサーバ３００への録画予約メールの送信を実行する。これにより、携帯端末装置２００を保持したユーザ（操作者）は、ホームネットワーク（プライベートネットワーク）の内外を意識することなく、携帯端末装置２００により記録装置１００に対して、録画予約を登録できる。なお、ユーザ（携帯端末装置２００）がホームネットワーク（家庭）外に位置することが明らかである場合、すなわち携帯情報端末２００がＷｉＦｉ（無線ＬＡＮ（すなわちルータ１））との間の無線通信による接続を認識できない場合、ユーザによる録画予約が実行された場合に、直接メールサーバ３００に、録画予約メールを送信することも可能である。
【００９８】
より詳細には、図１８に一例を示すが、携帯端末装置２００によりホームネットワーク（ルータ１）経由で録画予約の登録あるいは変更の要求があった場合［Ｆ１］、記録装置１００は、録画予約登録、変更に応答する。すなわち、録画予約の登録が成功した場合、記録装置１００は、成功通知を返信する［Ｆ２］。
【００９９】
携帯端末装置２００は、記録装置１００からの録画予約の登録・変更の成功通知を受信した場合、予約登録作業は終了する［Ｆ３−ＹＥＳ］。
【０１００】
携帯端末装置２００は、記録装置１００からの録画予約の登録・変更の成功通知を受信できない場合［Ｆ３−ＮＯ］、録画予約の登録・変更が失敗したことを示す失敗通知を受信する［Ｆ４］。
【０１０１】
携帯端末装置２００は、記録装置１００からの録画予約の登録・変更の失敗通知を受信した場合［Ｆ４−ＹＥＳ］、メールサーバ３００に対して録画予約メールを送信する［Ｆ５］。なお、携帯端末装置２００は、記録装置１００からの録画予約の登録・変更の失敗通知を受信できない場合［Ｆ４−ＮＯ］であっても、メールサーバ３００に対して録画予約メールを送信する［Ｆ５］。
【０１０２】
すなわち、記録装置１００からの録画予約の登録・変更の失敗通知を受信した場合［Ｆ４−ＹＥＳ］あるいは記録装置１００からの録画予約の登録・変更の失敗通知を受信できない場合［Ｆ４−ＮＯ］のいずれの場合も、携帯端末装置２００は、自身がホームネットワーク外に位置している、と判断し、録画予約の登録・変更を、メールサーバ３００を用いる録画予約メールの送信に切り替える。これにより、ユーザは、家庭内（ホームネットワーク内）においても、家庭外（ホームネットワーク外）においても、録画再生装置（記録装置）に対して、ネットワーク（ホームネットワーク及びインターネット網）を介して録画予約を登録または変更できるが、家庭内なのか家庭外なのかを意識することなく、単一の方法で、録画予約を登録（または変更）できる。
【０１０３】
なお、上述した説明は、録画予約の登録に限らず、既に登録されている予約の変更あるいは抹消（削除）についても実行可能であることはいうまでもない。また、図１９〜図２３Ａ及び図２３Ｂにより以下に説明する複数の録画装置（記録装置）が保持する録画予約の共有や録画予約先（機器）の変更などについても適用できることはもちろんである。
【０１０４】
図１９は、実施形態を適用する番組録画装置（記録装置）の一例を示す。
【０１０５】
図１９に示す番組録画管理システム１１０１は、単一のユーザによる複数利用、あるいは家庭内（または同一視聴契約内）等に代表され、番組の相互再生が認められている閉じたネットワーク内に用意される任意台数の番組録画装置（群）、番組録画装置（群）のそれぞれの録画済番組と録画予約状況を保持し、ネットワークによる制御、例えば録画予約の追加等を設定可能なマネージャ装置１０１０、マネージャ装置１０１０と番組録画装置（群）との間で、コンテンツ（番組、またはタイトルと称することもある）及び制御信号等の受け渡し（送受信あるいは入出力）を受け持つ接続部１０００を、少なくとも含む。なお、接続部１００は、上述の番組録画装置（以下に一例を示す）の少なくとも１台がＤＬＮＡ（Digital Living Network Alliance（登録商標））のガイドラインに準拠した「ＤＬＮＡ認定」対応の装置、特にＤＮＬＡ−ＤＭＳ（Digital Media Server）対応である場合、その装置をホームサーバとする家庭内ネットワークを構成することで、接続部１０００を兼用できる。また、接続部１０００は、例えば、家庭内あるいは企業（オフィス）内のグループを単位とするホームサーバで用いられてもよいことはいうまでもない。なお、ホームサーバとしては、例えば、ユーザが保有するＰＣ（Personal Computer）であってもよい。
【０１０６】
番組を録画できる任意台数の番組録画装置は、第１のレコーダ（Recorder）＜１＞１１１０、第２のレコーダ＜２＞１１２０、第３のレコーダ＜３＞１１３０、録画機能が用意されたテレビジョン受信装置（以下、テレビ装置と称する）１１４０、第１のＰＣ（Personal Computer）＜１＞１１５０、第２のＰＣ（ＰＣに限らず携帯可能なモバイルコンピュータ（Mobile Computer）やスマートフォンと呼ばれる端末装置であってもよい）＜２＞１１６０、及びレコーダ＜１＞１１１０等の外部記憶装置として利用されるＮＡＳ（Network Attached Storage）−ＨＤＤ（Hard Disk Drive）１１７０等を含む。また、ＮＡＳ−ＨＤＤ１１７０の他にも、例えば、ＵＳＢ（Universal Serial Bus）を通じて接続するＨＤＤや、ネットワークを通じて接続する記憶装置、例えばＬＡＮ（ＬＡＮ（Local Area Network）−Ｄｉｓｋ（ＨＤＤ）等も利用可能である。さらに、例えばBluetooth（登録商標）／ブルートゥース（登録商標）が用意され、それらを経由して、データの受け渡しが可能なレコーダ装置やＨＤＤ装置、もしくは携帯可能な端末装置が接続されてもよい。
【０１０７】
なお、図１９に示す番組録画装置のそれぞれにおいて、レコーダ＜１＞１１１０、レコーダ＜２＞１１２０、及びレコーダ＜３＞１１３０は、同一の構成（機種）であってもよい。また、それぞれの番組録画装置は、詳細な説明を省略するが、接続される表示装置（あるいはテレビ装置１１４０）に映像出力としてＧＵＩを表示する表示制御部、任意の放送を受信可能なチューナ、再生対象の番組の映像を接続される表示装置に出力する映像出力部、同じく番組の音声を再生する音声再生部、同じく番組の映像及び音声を記録する記録部、（記録部に対する）録画予約の登録と解除あるいは消去の指示入力が可能な入力部、及び録画予約の登録を記憶する予約保持部、等を少なくとも含む。
【０１０８】
一方、図１９に示す番組録画装置のそれぞれにおいて、レコーダ＜１＞１１１０、レコーダ＜２＞１１２０、及びレコーダ＜３＞１１３０は、それぞれ異なる構成（機種）である場合がある。
【０１０９】
例えば、レコーダ＜１＞１１１０が、ＢＳデジタル放送、ＣＳデジタル放送、地上デジタル放送及びネットワークを経由して配信される番組を録画可能で、レコーダ＜２＞１１２０及びレコーダ＜３＞１１３０が、地上デジタル放送のみを録画可能で、他のレコーダで録画された番組を、家庭内ネットワークを経由して（またはＤＬＮＡ接続により）相互に再生可能である、等である。以下、レコーダ＜１＞１１１０は、テレビ装置１１４０から表示部を除外したと同等程度の機能を有し、レコーダ＜２＞１１２０及びレコーダ＜３＞１１３０は、チューナが受信する放送形式がレコーダ＜１＞１１１０とテレビ装置１１４０に比較して簡素化（地上デジタル放送専用化）された以外は、レコーダ＜１＞１１１０あるいはテレビ装置１１４０と同等程度の機能を有するものとして実施形態を説明する。なお、個々の機器は、ＤＮＬＡ−ＤＭＰ（Digital Media Player）対応であることが好ましい。また、個々の機器は、ＤＮＬＡ−ＤＭＰ（Digital Media Player）対応であることが好ましい。また、レコーダ＜１＞１１１０及びレコーダ＜２＞１１２０は、再生可能な動画ファイルの形式として「ＭＰＥＧ−２」と「ＭＰＥＧ−４（Ｈ−２６４ＡＶＣ）」をサポートし、レコーダ＜３＞１１３０は、「ＭＰＥＧ−２」のみをさポートする、等の再生可能なファイル形式、もしくは記録モードに違いがあるものとする。
【０１１０】
なお、それぞれのレコーダ＜１＞１１１０、レコーダ＜２＞１１２０及びレコーダ＜３＞１１３０においては、記録部（映像音声記録装置）は、例えばＨＤＤのみが装備されている、あるいは光ディスクやメモリカード（ＳＤカード）との間で映像及び音声の記録と再生が可能、もしくはＵＳＢあるいはＬＡＮを介して接続可能な記録装置との間で映像及び音声の記録と再生が可能、等の対応するメディア（記録媒体）が異なるものであってもよい。
【０１１１】
テレビ装置１１４０は、例えば、チューナ（Tuner）、チューナが選局（選択）した番組を再生するための様々な信号処理を受け持つ信号処理部（ＤＳＰ（Digital Signal Processor））、映像及び音声を記録する記録部（映像音声録画装置）、チューナが選局した番組の映像を表示する表示部、チューナが選局した番組の音声を再生する音声再生部、チューナ装置が選局した番組、すなわち映像及び音声を、レコーダ＜１＞１１１０、レコーダ＜２＞１１２０またはレコーダ＜３＞１１３０等の記録装置に、デジタル信号で供給する映像音声出力部、表示部にＧＵＩ（Graphical User Interface）を表示する表示制御部、及び装置全体の信号制御及び各構成相互の信号のタイミング管理等を受け持つ主制御部（（Main Control Unit）、制御ブロックと称することもある）、及びネットワークコントローラ等、を含む。ネットワークコントローラとしては、ＤＬＮＡ−ＤＭＣ（Digital Media Controller）からの制御信号を受け付ける機能を少なくとも有することが好ましい（上述のＤＮＬＡ−ＤＭＳ（Digital Media Server）対応であることが好ましい。
【０１１２】
なお、テレビ装置１１４０は、記録部への録画予約の登録や解除（消去）の指示（入力）が可能な入力部、及び録画予約の登録を受け付け記憶する予約保持部等、を含む。また、テレビ装置１１４０は、映像（Video）を再生するモニタと音声（Audio）を再生するスピーカとが一体に設けられたものであってもよいし、それぞれが独立して用意されているものであってもよい。
【０１１３】
チューナは、例えば、地上デジタル放送、ＢＳ（Broadcasting Satellite、放送衛星を介して提供される）デジタル放送、ＣＳ（Communication Satellite、通信衛星を通じて提供される）デジタル放送、地上アナログ放送、等を受信可能で、テレビ装置１１４０と一体に設けられてもよいし、分離して独立に設けられてもよい。なお、番組供給元として、ネットワーク（通信網）上のサーバ、あるいは配信局（地域ネットワーク基地局）等も利用可能であり、ネットワークを介して提供される番組を選局（選択）するためのチューナとして機能する、例えば、ＳＴＢ（Set Top Box）あるいは、ホームサーバ（Home Saver）等が併用されてもよいし、一体に用意されてもよい。
【０１１４】
信号処理部は、例えば、地上デジタル放送を受信する場合は、チューナで選局された受信信号から番組供給元（放送局）すなわちＣＡＳ（Conditional Access System）事業体の情報やＣＡＳ事業体が用意した契約情報等を含む管理情報と番組を含んだトランスポートストリーム（Transport Stream，ＴＳ）を分離するＴＳ分離部、ＴＳ分離部で分離した管理情報からＣＡＳ事業体が提供する識別情報（ＣＡＳカード）を用い、暗号化キー（鍵）を解除（デスクランブル）し、番組を構成する映像信号及び音声信号すなわちＰＥＳ（Packetized Elementary Stream）を得るデスクランブラ部、ＰＥＳから映像信号（Video）と音声信号（Audio）を得る分離部、分離された映像信号及び音声信号をデコードするデコーダ（Decoder）等を含む。
【０１１５】
なお、ＣＡＳカードは、デジタル放送における限定受信を実現するための契約情報等を保持し、受信装置（テレビ装置１１４０、レコーダ＜１＞１１１０、レコーダ＜２＞１１２０、レコーダ＜３＞１１３０、・・・）側で参照するものである。また、ネットワークを介した番組の配信においては、受信装置に用意されるソフトウエアにおいてＣＡＳカードに相当する機能を持たせることで、限定受信を実現する例が一般的である。また、国内のデジタル放送においては、ＣＡＳカードは、社団法人電波産業会（ＡＲＩＢ）が管理するＡＲＩＢ  ＳＴＤ−Ｂ２５に準拠したＣＡＳカードのほか、放送事業者が独自に制定した仕様に基づくＣＡＳカードが存在するが、詳細な説明は省略する。
【０１１６】
記録部（映像音声録画装置）は、例えば、ＨＤＤを含み、映像及び音声すなわち番組を所定の記録方式（モード）及びレートで記録する。なお、記録時に、図示しないエンコーダ（Encoder）がエンコードすることはいうまでもない。また、記録部（映像音声録画装置）は、例えばＳＤ（Secure Digital）カードと呼ばれる半導体メモリ（メモリカード）へ映像及び音声を記録し、また既に記録されている映像及び音声を再生するリーダ／ライタ（Reader/Writer）や、例えばＤＶＤ（Digital Versatile Disk）規格に代表される光ディスクへの映像及び音声の記録と光ディスクからの映像及び音声の再生が可能なディスクドライブユニット等が、組み合わせて用意されてもよい。もちろん、映像出力として、例えばＤＶＩ（Digital Visual Interface）が用意されてもよい。
【０１１７】
表示部は、例えば、液晶（ＬＣＤ、Liquid Crystal Display）パネルであり、所定の解像度を有する。なお、外部接続されたモニタ装置もしくは別のテレビ装置であってもよいことはいうまでもない。
【０１１８】
音声再生部は、デコードされた音声信号を再生するスピーカ等、及び外部出力端子に、音声出力を供給する。なお、光デジタル出力であってもよい。すなわち、光デジタル出力は、モニタ装置（プロジェクタ装置等を含む）とＡＶ（Audio Visual）アンプ装置等の組み合わせに対して有益である。
【０１１９】
映像音声出力部は、ＨＤＭＩ（High-definition Digital Media Interface）に準拠したコネクタ及びケーブルを含み、ＨＤＭＩケーブルを介して接続される、例えばレコーダ＜１＞１１１０及びレコーダ＜２＞１１２０等に、それぞれが再生可能な最適な条件のデジタル信号で、デコードされた番組の映像及び音声を、供給する。
【０１２０】
主制御部は、上記各部（要素）すなわちテレビ装置全体の信号制御、及び上記各部（要素）相互の信号のタイミング管理等を受け持つ。
【０１２１】
なお、テレビ装置１１４０やレコーダ＜１＞１１１０、レコーダ＜２＞１１２０、あるいはレコーダ＜３＞１１３０等においては、通常、コンセントが抜かれている等の物理的に通電が困難な状況下以外において、電力消費の比較的大きな要素を除く主制御部等への２次電源（ＤＣ（直流）３１Ｖあるいは２４Ｖもしくは５Ｖ等）が、通常確保されており、予め規定された時刻に、内蔵する、または外部記憶装置として接続される記憶装置等を起動することができる。また、チューナが含む地上デジタルチューナが受信する地上デジタル放送から、ＴＯＴ（Time Offset Table）と呼ばれる「時刻情報」を、常時取得できる。
【０１２２】
マネージャ装置１０１０は、通信部１０１１、アカウントマネージャ１０１２、グループ番組予約一覧管理部１０１３、番組データ保持部１０１４、予約調整部１０１５、録画済番組リスト保持部１０１６、録画番組一覧管理部（結合録画済番組リスト作成部）１０１７、他を含む。なお、マネージャ装置１０１０は、例えば家庭内、あるいは企業（オフィス）内のグループといった信頼できる単位で作成される。また、グループへのアクセス権は、サーバ上に（マネージャ装置に）作成された上述のグループへ、メンバーＩＤを登録することで可能となる。一方、個々の番組録画装置（レコーダ＜１＞１１１０及びＮＡＳ−ＨＤＤ１１７０、レコーダ＜２＞１１２０、レコーダ＜３＞１１３０、テレビ装置１０４０、ＰＣ（Personal Computer＜１＞）１１５０、及びＰＣ＜２＞（Mobile Computer）１１６０）は、それぞれからメンバーＩＤを使って上述のグループへアクセスした際に、機器管理ＩＤ（ＭＡＣ（Media Access Control）アドレス）が参照されて、自動的に登録される。
【０１２３】
通信部１０１１は、上述の接続部１０００との間及びでコンテンツ（番組）及び制御信号等の受け渡しを受け持つ。通信部１０１１はまた、クラウドコンピューティング（ネットワーク／インターネット）上に公開されているＰＩＭ（Personal Information Manager）データ標準に準拠したスケジュール管理アプリケーション、例えば「ｉカレンダサーバ（i Calendar Store server）」に予め用意された「ｉカレンダ（i Calendar）」との間の情報の書き込み及び読み出しが可能である。なお、「ｉカレンダ」は、今日、モバイルＰＣ（図１９のＰＣ＜２＞１１６０）及び携帯情報端末２００に相当）、ＰＤＡ（Personal Digital assistant）、スマートフォン等に代表される携帯端末、及び携帯電話装置に実装されている、あるいはサポートしている場合が多く、同アプリケーションをサポートした（実装されている）任意の端末装置を用いる他のユーザがアップデートした予定、等を閲覧できる。また、「ｉカレンダ」は、送信プロトコルに依存しないため、上述のネットワーク上でスケジュールを共用できる。
【０１２４】
通信部１０１１はまた、ネットワーク網を経由したＥ−メールの送受信、及び外部サーバ、例えば地上デジタル放送の電子番組表（ＥＰＧ）を保持したプログラムサーバ（ＴＶプログラムサーバ（TV program Store server））へのアクセス及び同サーバからのＥＰＧデータの取得が可能である。また、接続部１０００は、例えばＬＡＮ（Local Area Network）コントローラを含み、接続される個々の番組録画装置の録画予約状況、録画済番組情報、残り記録容量、及び個々の番組録画装置のアカウント情報、等をマネージャ装置１０１０の通信部１０１１を通じて、マネージャ装置１０１０のアカウントマネージャ１０１２に通知する。
【０１２５】
より詳細には、通信部１０１１は、図２２に表示の一例を示す「ｉカレンダ」に、マネージャ装置１０１０が管理する上述の任意の番組録画装置からの録画予約を、グループ番組予約一覧部１０１３を通じて書き込む（アップデートする）。なお、「ｉカレンダ」は、同アプリケーションを実装した、あるいはサポートする任意の端末装置を用い、ネットワーク（インターネット／クラウドコンピューティング）に接続可能であれば任意に利用でき、例えば図２３Ａに示すように、各端末装置に用意されたスケジュール表示機能により、上述の任意の番組録画装置において録画予約されている番組の情報や、新規な録画予約が可能であるか、等の情報を、例えば外出先、あるいは勤務先もしくは自宅へ向かう経路上等の制約を受けることなく、随時、確認できる。また、必要に応じて、新規の録画予約の設定（追加）等も随時可能である。
【０１２６】
アカウントマネージャ１０１２は、上述の番組録画装置を保持したユーザまたはユーザが保持する番組録画装置のアカウント情報を取得し、アカウントを管理するアカウント管理部１０１２−１、個々の番組録画装置の録画可能状況を取得し、録画可能機器を設定する機器情報管理部１０１２−２、個々の番組録画装置の録画予約リスト、及び録画済番組リストを保持する予約リスト管理部１０１２−３を含む。
【０１２７】
上述の録画予約リストおよび／あるいは録画済番組リストからなるリスト情報は、予約リスト管理部１０１２−３において、上述のグループに登録されている番組録画装置毎のリストとして保持される。なお、予約リスト管理部１０１２−３は、機器情報管理部１０１２−２が保持する機器情報を用いて、上述の録画装置毎のリストをフィルタリングあるいはマージ＜merge，［合成、併合、結合］＞してグループ番組予約リストあるいはグループ録画済リストを生成する。
【０１２８】
アカウント管理部１０１２−１が管理する情報としては、例えば    
ア＞視聴が有料である番組あるいは視聴が無料ではあるが視聴契約を必要とする番組（視聴契約を必要とする番組提供事業者を含む）についてのアカウントの有無、    
等であり、例えば、上述の任意の番組録画装置から特定の番組提供事業者が提供する番組の録画予約（録画要求）があった場合、その番組提供事業者との間の契約、すなわちアカウントの有無をチェックし、録画予約の可否を判定する。
【０１２９】
機器情報管理部１０１２−２が管理する情報としては、例えば    
１＞ＢＳ放送、あるいはＣＳ放送を受信可能な受信契約の有無（ＣＡＳカードの有無、及び契約の有無）、及びアンテナの接続状況、    
２＞ネットワークを経由してユーザが希望する番組を取得可能に提供する番組配信事業者との間の受信契約の有無、及びネットワークとの接続契約の有無、及び回線速度、    
３＞地上デジタル放送の受信を可能とするＣＡＳカードの有無（地上デジタル放送の放送事業者に対する受信登録の有無）、    
４＞番組録画のための記録容量すなわちＨＤＤの空き容量、    
５＞既に予約されている録画予約の状況、すなわち録画予約をしようとしている時間及びその前後の録画予約の有無、    
６＞録画予約を受け付ける場合の受付可能時間（予約しようとする番組の開始の何分前まで録画予約が可能であるか）、    
７＞Ｅ−メールによる録画予約を受け付ける時間と録画予約しようとする番組の開始時間（録画予約を送信した場合に、対象の録画機器が録画予約を受け付けるか否か）、    
等であり、例えば、上述の任意の番組録画装置から特定の番組提供事業者が提供する番組の録画予約（録画要求）があった場合、録画要求のあった番組録画装置がその番組を録画可能であるか否かをチェックする。なお、例えば、ＣＡＳカードは、ＢＳ放送と地上デジタル放送を受信可能なＢ−ＣＡＳカードと地上デジタル放送のみを受信可能なＣ−ＣＡＳカードとがあり、アカウント管理部１０１２−１が管理するアカウント情報と併せて、個々の番組録画装置が録画可能な番組及び放送事業者、等を識別する。
【０１３０】
予約リスト管理部１０１２−３は、上述の番組録画装置それぞれの録画予約状況を、上述の機器情報管理部１０１２−２が参照可能に、番組予約一覧（リスト）として保持する。なお、番組予約一覧リストは、図示する通り、番組録画装置毎に用意される。
【０１３１】
グループ番組予約一覧管理部１０１３は、上述のアカウントマネージャ１０１２の予約リスト管理部１０１２−３が保持する個々の番組録画装置に録画予約された番組を統合予約表（リスト）として一括して保持するとともに、上述した通信部１０１１を通じ、上述の「ｉカレンダ（i Calendar）」が保持する上述の個々の番組録画装置の録画予約を更新（アップデート）する。なお、グループ番組予約一覧管理部１０１３が保持する統合予約表は、任意の番組録画装置において、その番組録画装置における録画予約リストを表示させた場合、後段に説明するが、マネージャ装置１０１０が管理する他の番組録画装置において予約されている録画予約も同時に表示できる。
【０１３２】
番組データ保持部１０１４は、アカウントマネージャ１０１２のアカウント管理部１０１２−１及び機器情報管理部１０１２−２により録画予約状況が管理されている上述の個々の番組録画装置が録画可能な任意の番組の番組データを、録画要求のあった番組録画装置が取得可能に、提供する。なお、番組データは、上述したＴＶプログラムサーバが提供するＥＰＧ（電子番組表）や、上述の番組録画装置を提供する製造メーカが独自に用意したサーバ、及び視聴が無料ではあるが視聴契約を必要とする番組を提供する番組提供事業者が提供する番組一覧（コンテンツテーブル）等を複製したもの、あるいはそれらを統合した一覧表（統合番組表）のいずれであってもよい。
【０１３３】
個々の番組録画装置は、上述のグループ番組予約リストあるいは録画済リストが必要になった場合、すなわち録画予約の新規登録（録画予約の設定）あるいは録画予約の重複のチェック時に、マネージャ装置１０１０へリクエストを送る。
【０１３４】
マネージャ装置１０１０は、同リクエストに応じて、予約リスト管理部１０１２−３にてデータベースをフィルタリングして、要求に応じたリストを作成し、リクエストを送信した番組録画装置に返信する。
【０１３５】
個々の番組録画装置は、このリストを受け取り、すでに録画予約されていないかを確認し、重複していることがチェックできた場合、ＧＵＩ（Graphical User Interface）あるいはアイコン等を用い、録画予約が重複していることを、表示する。なお、録画予約が重複している場合において、一方の番組録画装置の録画予約を削除する場合、ローカルネットワークを用いた「録画削除リクエスト」を送信する手段あるいは機能を、双方の番組録画装置がサポートしている場合は、これを用いる。この削除処理を終えた後、サーバすなわちマネージャ装置１０１０に、本作業による修正をアップロードする。ローカルにおいて、リクエスト送信手段がない場合は、マネージャ装置１０１０へリクエストを送り、リクエストを受け取った他方の機器において削除処理を実行する。完了待ちの状態においては、図示しないが、ＧＵＩにリクエスト中であることを示すアイコンなどを表示する。
【０１３６】
予約調整部１０１５は、接続部１０００を通じてマネージャ装置１０１０と接続される上述の任意台数の番組録画装置すなわちテレビ装置１１４０、レコーダ＜１＞１１１０及びＮＡＳ−ＨＤＤ１１７０、レコーダ＜２＞１１２０、レコーダ＜３＞１１３０、ＰＣ＜１＞１１５０及びＰＣ＜２＞１１６０のいずれかまたは２以上から新規に録画予約（録画要求）があった場合、既に他の番組録画装置において「同じ番組についての録画予約」があるか否か、等を判断するとともに、その録画予約を要求した番組録画装置とは異なる番組録画装置による録画を推奨する、等の予約調整を行う。
【０１３７】
例えば、録画予約を要求した番組録画装置に、放送時間が延長になる可能性がある直前の番組の録画予約があった場合、その時間帯の前後に録画予約がない、別の番組録画装置による録画予約を推奨することで、放送時間が延長になる可能性のある直前の番組の放送時間が実際に延長された場合等であっても、要求のあった番組の録画予約に影響が生じることが抑止される。また、録画予約の要求があった番組録画装置の残り記録容量が少ない場合、等においては、残り記録容量が十分な別の番組録画装置により録画予約を実行することで、録画予約の要求があった番組録画装置において、次の録画予約のために録画済みの番組のいくつかを（他の番組録画装置へ）移動する作業が生じる、等の別の作業が必要となることが低減される。
【０１３８】
一方、録画予約を要求した番組録画装置において、既に一部の時間が重なる録画予約がある場合、要求のあった新規の録画予約が可能な別の番組録画装置の有無を判定し、録画予約が可能な別の番組録画装置が存在することを、録画予約の要求があった番組録画装置に通知できる。
【０１３９】
また、予約調整部１０１５は、Ｅ−メール等によりマネージャ装置１０１０に対して外部から新規な録画予約の要求があった場合、特に有益である。例えば、特定の番組録画装置を指定した録画予約の要求があった（指定された）番組録画装置に既に録画予約がある、等においては、録画予約の可能な他の番組録画装置による録画予約が可能となる。なお、後段に詳述するが、指定された番組録画装置による録画予約が可能である場合はもちろん、録画予約の可能な他の番組録画装置による録画予約を受け付けた場合においても、返信Ｅ−メールにより、ユーザ（外部から予約要求の要求元）に対して、新しい予約先すなわち録画予約が可能な他の番組録画装置による録画予約が可能であることが、通知される。
【０１４０】
なお、後段に詳述するが、予約調整部１０１５は、マネージャ装置１０１０のアカウントマネージャ１０１２（アカウント管理部１０１２−１、機器情報管理部１０１２−２及び予約リスト管理部１０１２−３）とグループ番組予約一覧管理部１０１３を参照し、番組データ保持部１０１４が保持する番組情報に基づいて、新規な録画予約の要求を実現できる番組録画装置を特定することは言うまでもない。
【０１４１】
すなわち、予約調整部１０１５により、録画予約の重複を見つけるとともに、重複の問題を、上述した方法により調整して解消する。なお、予約調整部１０１５を、家庭内ネットワークのいずれかの番組録画装置が分担する場合、その番組録画装置がスリープする（電源オフ状態となる）、あるいはネットワークから切り離されることにより、実行不能となるため、同装置がネットワークから切り離される前に、他の番組録画装置に、上述の調整処理を渡すことが必要となる。例えば、ブロードキャストにより家庭内ネットワークに予約調整機能を有する装置があるか否かを確認し、予約調整機能を有する番組録画装置が存在することが確認できた場合に、その番組録画装置に現在の「ステータス」情報、等を渡すことになる。
【０１４２】
予約調整部１０１５はまた、上述の録画予約の調整が複雑であることが特定できた場合、例えば他の番組録画装置についても、既に一部の時間が重なる録画予約が登録されている場合には、マネージャ装置１０１０に接続されているＰＣ＜１＞１１５０またはＰＣ（モバイル＜２＞）１１６０、あるいは携帯情報端末２００に対し、通信部１０１１を通じて『調整を求める』Ｅ−メールを送信し、録画すべき優先度の高い番組の録画予約を実行すべき番組録画装置を、ユーザに特定することを求める。
【０１４３】
予約調整部１０１５はさらに、録画予約が可能であると推定できるが、実際に設定されている録画予約の確認ができない番組録画装置、例えば電源がオンされていない番組録画装置やＥ−メールによる録画予約が可能な番組録画装置において、Ｅ−メールを受信する時間に至る前である番組録画装置に対する録画予約の有無の確認については、通信部１０１１を通じ、上述の「ｉカレンダ」を更新する。
【０１４４】
これにより、例えば電源がオンされていない番組録画装置が、その番組録画装置に設定された（別の）録画予約に従って起動した時点で、「ｉカレンダ」上でその番組録画装置を特定した録画予約の有無（または登録された録画予約の実行の可否）が判断できる。
【０１４５】
また、Ｅ−メールによる録画予約が可能な番組録画装置がＥ−メールを受信する時間に至った時点で、「ｉカレンダ」が保持したその番組録画装置を特定した録画予約の有無（または登録された録画予約の実行の可否が）判断できる。
【０１４６】
なお、Ｅ−メールによる番組の録画予約は、例えば図１４に示したメールフォームを用い、    
Ａ＞識別コード    「ｄｔｖｏｐｅｎ」    
Ｂ＞パスワード    「＠ａｂｘ３＝パスワード」    
Ｃ＞録画日    「２０２２０２２９」  ←  ２０２２年２月２９日    
Ｄ＞録画開始時刻    「ａｃａａ＝２４時制の時間と分」    
Ｅ＞録画終了時刻    「ｃａｂｄ＝２４時制の時間と分」    
Ｆ＞録画チャンネル    「○○＝放送種別に続けて３桁」    
Ｇ＞録画先    「□□＝登録された文字と数字」    
Ｈ＞録画モード（レート）    「△△＝指定された文字列」    
を、送信することで、登録できる。
【０１４７】
図２０は、図１４に示した予約調整のより詳細な手順をソフトウエア的に示す。
【０１４８】
Ｅ−メールにより新規仮予約（新規録画予約）が指示された場合［Ｇ１］、録画時間が重なっていないことがチェックされる［Ｇ２］。
【０１４９】
録画時間が重なっている場合［Ｇ２−ＮＯ］、対象の（Ｅ−メールにより指示された）新規録画予約の番組を録画できる番組録画装置の有無が、機器情報管理部及びアカウント管理部が保持する情報（機器情報）の参照により、チェックされる［Ｇ３］。
【０１５０】
対象の（Ｅ−メールにより指示された）新規録画予約の番組を録画できる番組録画装置が存在しない場合［Ｇ３−ＮＯ］、図２１に一例を示すような『予約を登録できませんでした。重複した予約が既にあります。』等の、録画予約ができないこと（予約調整失敗）がＥ−メールによりユーザに返信される［Ｇ４］。
【０１５１】
対象の（Ｅ−メールにより指示された）新規録画予約の番組を録画できる番組録画装置が存在した場合［Ｇ３−ＹＥＳ］、例えば「番組録画装置を変更しましたが、録画予約が完了しました。録画予約は、テレビ装置○○Ｚ△△△です。」、等の録画予約が終了したことを通知するＥ−メールが返信される［Ｇ５］。
【０１５２】
なお、予約調整部１０１５による調整は、上述のアカウント管理部及び機器情報管理部が保持する情報ア＞及び１＞〜７＞に従うが、例えば変更先に対するチェックとして、    
ａ）既に予約が入っていないか？    
ｂ）録画開始時間までの時間（何分前まで予約設定可能か？）    
ｃ）装置がＯＦＦの場合、次に、いつ予約サーバのチェックがあるか？    
すなわち対象の装置が予約リストを取りにくるスケジュール、等がある。
【０１５３】
また、（Ｅ−メールにより指定された）番組録画機器において録画が可能であっても、例えばＨＤＤ残り記録容量等に基づき、録画予約を振り替える（指定された番組録画機器とは異なる番組録画機器に録画予約を設定する）ことも可能である。
【０１５４】
録画済番組リスト保持部１０１６は、予約リスト管理部１２−３が保持する個々の番組録画装置、すなわち図１９に示したレコーダ＜１＞１１１０、レコーダ＜２＞１１２０、レコーダ＜３＞１１３０、テレビ装置１１４０、・・・、ＮＡＳ−ＨＤＤ１１７０等において、録画予約に従って「録画」が終了した録画済番組の番組名、録画開始日時と終了日時、あるいは録画開始日時と時間（番組長）、チャンネルまたは番組供給元、フォーマット及び録画モード等を、番組録画装置毎に、上述した録画番組一覧管理部（結合録画済番組リスト作成部）１０１７が参照可能な形式で、個別リストとして保持する。なお、個別リストには、各録画済番組に固有の情報として、ＤＴＣＰ（Digital Transmission Content Protection）／ＤＴＣＰをＤＮＬＡに適用したＤＴＣＰ−ＩＰ（Internet Protocol）の認証や視聴年齢制限、ダビング（コピー）の許諾及び回数制限等である録画済番組を再生する際に再生が制限を受けることがある環境（要因）に関する情報、等が付属できる。また、各録画済番組の固有の情報には、それを録画した機器の情報、例えば製造メーカ名、録画した装置（内蔵ＨＤＤ）の製造番号（識別用ＩＤ）、等も付加される。
【０１５５】
録画番組一覧管理部１０１７は、録画済番組リスト保持部１０１６が保持する上述の個々の番組録画装置が録画した番組の（個別）リストを結合し、例えば、上述の「ｉカレンダ」型式で参照可能な『結合録画済番組リスト』を作成する。なお、上述の統合録画済番組リストは、任意の番組録画装置にて録画済番組が増える（各番組録画装置において、録画予約に従って「録画」が終了する）毎に、マネージャ装置１０１０及び通信部１０１１の制御に従って、更新される。また、「ｉカレンダ」が表示する統合録画済番組リストも、任意の番組録画装置にて録画済番組が増える（各番組録画装置において、録画予約に従って「録画」が終了する）毎に更新される。
【０１５６】
なお、個々の録画済番組が同一の番組を含む場合であっても、フォーマット／モード／レート／録画に用いた機器の識別用ＩＤ等ともに、一覧表示される（結合録画済番組リストに、それぞれ、リストされる。
【０１５７】
録画番組一覧管理部１０１７が作成した（「ｉカレンダ」形式の）『結合録画済番組リスト』は、図２２に一例を示す、一般的なブラウザを用いて表示した例において、毎週月曜日に、レコーダ＜１＞１１１０（図１９参照）において、１４時００分から「○○○・・・」が録画済であり、２２日（月曜日）については、テレビ装置１４０において、１１時００分から「△△△〜〜〜」が録画済であることがわかる。
【０１５８】
同じく２２日については、レコーダ＜２＞１２０において、１９時００分から「□□・・□□〜」が録画済であることがわかる。
【０１５９】
なお、図２２に示した「ｉカレンダ」をサポートする任意の端末装置、すなわち上述の携帯情報端末２００等により、図２３Ａに示すように、随時閲覧することができる。また、携帯情報端末２００にビューワーが用意されていない場合、等においては、スマートフォン向けプレーヤーアプリ（アプリケーション）をダウンロード（取得）可能に、例えばスマートフォンの製造元もしくは供給元が提供するウェブサイト（ホームページ）へ案内することも可能である（「リンク」が用意されている等）。
【０１６０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１６１】
１…ルータ（ホームサーバ）、１００…記録装置（録画再生装置）、２００…携帯端末装置、３００…メールサーバ。
【図１】
2012205280.tif 000003
【図２Ａ】
2012205280.tif 000004
【図２Ｂ】
2012205280.tif 000005
【図３】
2012205280.tif 000006
【図４】
2012205280.tif 000007
【図５】
2012205280.tif 000008
【図６】
2012205280.tif 000009
【図７】
2012205280.tif 000010
【図８】
2012205280.tif 000011
【図９】
2012205280.tif 000012
【図１０】
2012205280.tif 000013
【図１１】
2012205280.tif 000014
【図１２】
2012205280.tif 000015
【図１３】
2012205280.tif 000016
【図１４】
2012205280.tif 000017
【図１５】
2012205280.tif 000018
【図１６】
2012205280.tif 000019
【図１７】
2012205280.tif 000020
【図１８】
2012205280.tif 000021
【図１９】
2012205280.tif 000022
【図２０】
2012205280.tif 000023
【図２１】
2012205280.tif 000024
【図２２】
2012205280.tif 000025
【図２３Ａ】
2012205280.tif 000026
【図２３Ｂ】
2012205280.tif 000027